【事件の表示】
　平成４年特許願第３３５１０５号「パチンコ機の入賞装置」拒絶査定不服審判事件〔平成６年６月３日出願公開、特開平６−１５４３９６〕について、次のとおり審決する。
【結　論】
　本件審判の請求は、成り立たない。
【理　由】
１．手続の経緯
　本願は、平成４年１１月１９日の出願であって、平成１３年２月１５日付けの拒絶理由通知に対し平成１３年４月２７日付けで手続補正がなされ、平成１３年１１月６日付けで拒絶査定がなされ、これに対し、平成１３年１２月１２日に拒絶査定に対する審判請求がなされるとともに、平成１４年１月１１日付けで手続補正がなされたものである。
　
２．本願発明
　本願の請求項１に係る発明は、平成１４年１月１１日付けの手続補正によって補正された明細書及び図面の記載からみて、特許請求の範囲の請求項１に記載された次のとおりのものと認められる。
　「取付基板の中央部の上部位置に前面側へ突出するガイド部材を設けると共に、前記ガイド部材の左右の側部にそれぞれ打球が１個通過できる程度の間隔を離して突設された側片により球通路を形成し、
　前記球通路には回転体をそれぞれ配設すると共に、両回転体の間に位置した取付基板の下部位置に前面側へ突出する球受口を設け、
　前記両回転体は、モータにより互いに反対方向に正逆回転し、かつその周面に前記球通路に導かれた打球を取り込む凹部からなる複数の球保持部を設けてなり、
　通常時は前記回転体を外向き回転させて前記球通路に導かれた打球をすべて取付基板の前面下方へと落下させ、入賞時には前記回転体を内向き回転させて前記球通路に導かれた打球をすべて入賞球として球受口へと落下するようにしたことを特徴とするパチンコ機の入賞装置。」
　
３．引用例に記載の発明
　これに対して、原査定の拒絶の理由に引用された、本願の出願の日前である昭和６２年８月６日に頒布された「特開昭６２−１７９４８４号公報」（以下「引用例」という。）には、以下の事項が記載されている。
　「第１図は本発明の一実施例の入賞装置を装着したパチンコ機の正面図を示す。…この入賞装置５は縦に長くした取付基板６を有する。取付基板６の上部には入賞孔７，７が穿設され、その前面には打玉を入賞孔７，７へ受け入れるためのカバー部材８が形成される。カバー部材８には表示部４５が設けられる。また、取付基板６の略中央部には前面開口の凹室９が形成され、この凹室９の左右両側に玉受部材としての一例の羽根車１０ａ，１０ｂが対をなして回転自在に配置される。凹室９の下部に位置した取付基板６には前記羽根車１０ａ，１０ｂが受け入れた打玉だけを入賞させる一般入賞口１１ａ〜１１ｃを画成したカバー部材１２が前面へ突出して設けられる。」（第２頁左上欄第１１行−同頁右上欄第１０行）
　
　「前記羽根車１０ａ，１０ｂは外周に打玉を受け入れ可能な間隔で複数の羽根１０を有する。この羽根車１０ａ，１０ｂは外回り回転のとき打玉を受け入れ難い第１の状態として羽根１０間に打玉を受け入れることなくそのまゝ側方から遊技盤の下方へ導き、内回り回転のとき打玉を受け入れ易い第２の状態として羽根１０間に打玉を保持し一般入賞口１１ａ〜１１ｃ或いは特賞入賞口１４へ入賞させるものである。…前記支持板２８′には羽根車１０ａ，１０ｂを回転させるための正逆回転モータ２８が装着される。」（第２頁左下欄第１５行−同頁右下欄第１０行）
　
　「前記正逆回転モータ２８の駆動による駆動歯車３０の回転は小径歯車２７ａを介して羽根車１０ａに回転を与え、また遊動歯車３１、小径歯車２７ｂを介して羽根車１０ｂ羽根車１０ａと同一速度でかつ反対方向の回転を与える。すなわち、羽根車１０ａ，１０ｂは互いに第１の状態の外回り回転したり第２の状態の内回り回転を行う。この実施例では通常羽根車１０ａ，１０ｂが外回り回転を続けるように正逆回転モータ２８の回転方向が設定される。そして、打玉が特賞入賞口１４へ入ると正逆回転モータ２８の回転が逆転する。」（第３頁左上欄第１８行−同頁右上欄第８行）
　
　「次にこの実施例の動作を説明する。羽根車１０ａ，１０ｂが互いに外回り回転をしている第１状態のとき、羽根車１０ａ，１０ｂに落下する打玉はそのまゝ下方へ案内されるに止まり打玉が入り難い。…そして、羽根車１０ａ，１０ｂで付けられた打玉が一般入賞口１１ａ〜１１ｃへ入つた場合は単なる入賞玉して排出処理されるに止まる。一方、打玉が特別入賞口１４の入賞孔１５へ入ると、これを玉検出センサ１８が検出し、その信号によつて正逆回転モータ２８の回転を逆転して内回り回転とし、これによつて羽根車１０ａ，１０ｂは打玉が入り易い第２の状態の内回り回転となり、さらに予め設定した所定時間間隔ごとにソレノイド３３を励磁して羽根車１０ａ，１０ｂを外側方へ移動させる動作を所定の時間（例えば30秒間）継続する特賞遊技状態となる。」（第３頁左下欄第３行−第４頁左上欄第５行）
　
　また、第１図及び第５図から、以下の点を把握することができる。
　カバー部材８は、中央部の前面側に突出して取付基板６に設けられており、左右の側部が曲面形状に形成されている点。
　カバー部材８の左右の側部下方には、羽根車１０ａ，１０ｂが、それぞれ配設されており、羽根１０間には、凹部が形成されている点。
　
　前記摘示の記載及び図面によれば、引用例には、以下の発明（以下、「引用発明」という。）が記載されているものと認められる。
　「取付基板６の中央部の上部位置に前面側へ突出するカバー部材８を設けると共に、
　前記カバー部材８の左右の側部下方には羽根車１０ａ，１０ｂをそれぞれ配設すると共に、両羽根車１０ａ，１０ｂの間に位置した取付基板６の下部位置に前面側へ突出する一般入賞口１１ａ〜１１ｃを画成したカバー部材１２を設け、
　前記両羽根車１０ａ，１０ｂは、モータ２８により互いに反対方向に正逆回転し、かつその周面に打球を保持する凹部からなる複数の羽根１０間を設けてなり、
　通常は前記羽根車１０ａ，１０ｂを外回り回転させて前記羽根車１０間に打球を受け入れることなくそのまま側方から遊技盤の下方に導き、特賞遊技状態には前記羽根車１０ａ，１０ｂを内回り回転させて前記羽根１０間に保持された打球を入賞球として一般入賞口１１ａ〜１１ｃを画成したカバー部材１２或いは特賞入賞口１４へと落下するようにしたパチンコ機の入賞装置。」
　
４．対比
　本願発明と引用発明を対比するに際して、本願発明の「通常時は前記回転体を外向き回転させて前記球通路に導かれた打球をすべて取付基板の前面下方へと落下させ、入賞時には前記回転体を内向き回転させて前記球通路に導かれた打球をすべて入賞球として球受口へと落下するようにした」との記載について検討すると、「入賞時には」における「入賞」と、「入賞球として」の「入賞」とが、同じ事項を意味するならば、入賞球として球受口へと落下して入賞時になると解することができ、一方、「通常時は前記回転体を外向き回転させて前記球通路に導かれた打球をすべて取付基板の前面下方へと落下させ」るのであるから、通常時に入賞球として球受口へと落下する可能性がない以上、入賞時になり得ないものとなり、上記記載は明瞭ではないので、発明の詳細な説明の記載を参酌すると、「そして、その停止時の表示があらかじめ設定された表示（例えば「０，０，０」，「９，９，９」等のぞろ目）に揃うと「大当り」となり、２個の回転体１４ａ，１４ｂを図８（ロ）に示すうに図８（イ）の矢印方向と反対方向（内向き方向）に回転させる。このため、球通路１３ａまたは１３ｂに導かれる打球はそれぞれの球保持部１７に取り込まれて下方へ運ばれ、中央位置から球受口１５に落下してすべて入賞球として箱枠１８へ流下案内される。」（段落００１７）と記載されており、上記「入賞時には」における「入賞」とは「大当り」のことを意味するものと認められる。
　
　そこで、本願発明と引用発明を対比すると、引用発明の「羽根車１０ａ，１０ｂ」は本願発明の「回転体」に相当し、以下同様に、「一般入賞口１１ａ〜１１ｃを画成したカバー部材１２」は「球受口」に、「打球を保持する凹部」は「打球を取り込む凹部」に、「羽根１０間」は「球保持部」に、「通常」は「通常時」に、「外回り回転」は「外向き回転」に、「前記羽根車１０間に打球を受け入れることなくそのまま側方から遊技盤の下方に導き」は「打球をすべて取付基板の前面下方へと落下させ」に、「特賞遊技状態」は「入賞時」に、「内回り回転」は「内向き回転」に相当する。
　また、引用発明の「カバー部材８」は、左右の側部が曲面形状に形成されており、その具体的な形状と羽根車１０との配置関係を考慮すれば、この曲面を落下する打球は羽根車１０に誘導されること、すなわち、「カバー部材８」は打玉をガイドする機能を有することは明らかであるから、引用発明の「カバー部材８」は、本願発明の「ガイド部材」ということができる。
　
　そうすると両者は、「取付基板の中央部の上部位置に前面側へ突出するガイド部材を設けると共に、
　回転体をそれぞれ配設すると共に、両回転体の間に位置した取付基板の下部位置に前面側へ突出する球受口を設け、
　前記両回転体は、モータにより互いに反対方向に正逆回転し、かつその周面に前記球通路に導かれた打球を取り込む凹部からなる複数の球保持部を設けてなり、
　通常時は前記回転体を外向き回転させて打球をすべて取付基板の前面下方へと落下させ、入賞時には前記回転体を内向き回転させて打球を入賞球として落下するようにしたパチンコ機の入賞装置。」で一致し、以下の点で相違する。
　
相違点１；本願発明は、「前記ガイド部材の左右の側部にそれぞれ打球が１個通過できる程度の間隔を離して突設された側片により球通路を形成し」、回転体を「球通路」に配設し、取付基板の前面下方又は球受口へと落下させる打球が「球通路に導かれた」打球であるのに対して、引用発明は、「球通路」が形成されておらず、そのため、回転体を「球通路」に配設しておらず、取付基板の前面下方又は球受口へと落下させる打球が「球通路に導かれた」打球ではない点。
　
相違点２；本願発明は、入賞時には球通路に導かれた打球を「すべて入賞球として球受口へと落下する」ようにしたのに対して、引用発明は、入賞時には球保持部に保持された打球を球受口或いは特賞入賞口１４へと落下するようにした点。
　
５．当審の判断
　相違点１について
　打玉が遊技盤面を落下する様を遊技内容とするパチンコ機にとって、各所に用いられる振分部材は、遊技機を設計する上で重要な構成要素であり、そのような振分部材に遊技盤面を落下する打玉ができるだけ関与できるように、打玉を振分部材に誘導する部材を配設することは、パチンコ機における周知技術（下記周知例１乃至３参照）であるから、引用発明の振分部材である回転体にも、そのように誘導部材を配設することは、当業者にとって格別創意工夫を要することではない。
　さらに、誘導部材の構成として、ガイド部材の左右の側部にそれぞれ打球が１個通過できる程度の間隔を離して突設された側片により球通路を形成することも、パチンコ機における周知技術（下記周知例４又は５参照）であるから、引用発明において、回転体に打玉を誘導する誘導部材を配設し、その際に、ガイド部材の左右の側部にそれぞれ打球が１個通過できる程度の間隔を離して突設された側片により球通路を形成することは、当業者が容易に想到できることであり、そうすれば、球通路には回転体をそれぞれ配設されることになること、さらには、取付基板の前面下方又は球受口へと落下させる打球が「球通路に導かれた」打球となることは当然のことである。
　
　相違点２について
　一般入賞口と特賞入賞口とを隣接して設けることは、所謂第２種パチンコ機等における周知技術（下記周知例６参照）であり、打玉を振分部材に誘導する部材を配設するに際して、誘導した打玉をすべて誘導部材に導くことも、周知技術（下記周知例１乃至３参照）であるから、引用発明においても、一般入賞口１１ａ〜１１ｃと特賞入賞口１４を隣接させてカバー部材１２に画成し、玉通路に導かれた打玉をすべて回転体に取り込み、入賞時には打球を「すべて入賞球として球受口へと落下する」ように構成することは当業者が容易に想到できることである。
　
　そして、本願発明の作用効果も、引用発明及び周知技術から当業者が予測できる域を超えるものではない。
　
＜周知例に開示される技術＞
周知例１．実願平１−１００７９８号（実開平３−４１４８１号）のマイクロフィルム
　「弾球遊技機１の発射装置により遊技盤２面に発射された遊技球Ａは、植設された遊技釘Ｂ・・・により風車の回転体３に誘導落下するよう形成され、この際、回転体３の制御状況により作用状態が複数あり図面を参照してそれぞれの作用を詳述すれば、回転体３が停止している状態では第３図に示すように遊技釘Ｂによって誘導落下した遊技球Ａは保留部５に保留され、第４図に示すように前記回転体３が矢印方向に回動すれば遊技球Ａは同回転体３の回転方向に沿って放出されて落下する。また第５図に示すように同回転体３の回転方向が第４図と反対方向の回転ならば遊技球Ａを第４図とは反対の方向に放出し落下する。」（第３頁第１４行−第４頁第６行）と記載され、打玉を回転体３に誘導するように遊技釘Ｂを配設し、誘導した打玉をすべて回転体３に導く技術が開示されている。
　
周知例２．特開昭６３−２０３１７３号公報
　「第７図〜第８図に示すように、特定入賞装置１０の基板８１には、内周が円形の枠体８２が設けられ、該枠体８２内に回転可能に回転体８３が配置されている。枠体８２の上方には、特定入賞口８としての球１個分の開口８２Ａが形成され…尚、この実施例の場合にも、第９図に示すように、枠体８２に左右２つの開口８２Ｂ、８２Ｃを設け、各開口８２Ｂ、８２Ｃに、基板１３に設けた左右２つの特定入賞口８、９からの入賞球を誘導樋８７、８８を介して導くことにより、第２図と同様の作用を行なわせることができる。」（第５頁左下欄第１１行−第６頁左上欄第１９行）と記載され、打玉を回転体８３に誘導するように誘導樋８７、８８を配設し、誘導した打玉をすべて回転体８３に導く技術が開示されている。
　
周知例３．実公昭５１−１０８５７号公報
　「１４はチヤツカー１３の下方部の左右両側から転換片２の上方と側部とにかかけて設けた突出板であって、これとチヤツカー１３とにより、チヤツカー１３の両側に受口１５を有しその受口から転換片２の上方に打玉を導く限定された対称状の傾斜誘導路１６を構成し、その合流点を転換片２の中心上部で一個の玉を通ずる間隙１７として開放する。」（第１頁第２欄第１５−２２行）と記載され、打玉を転換片２に誘導するように傾斜誘導路１６を配設し、誘導した打玉をすべて転換片２に導く技術が開示されている。
　
周知例４．実公平３−５２５４４号公報
　「図において１は遊技盤ａの表面に取付ける取付板である。この取付板１の前面上部位置には、中央部に環状の表示枠２が形成され、かつその両外側に打玉が通ることができる程度の間隔を離してガイド枠３，３を突設し、この表示枠２とガイド枠３，３とによつて上部に導入口４を下部に排出口５を有する左右の玉貯溜部６，６が形成される。」（第１頁第２欄第４−１１行）と記載され、また、第３図から、玉貯溜部６，６は、打球が１個通過できる程度であることをを把握することができることから、表示枠２の左右の側部にそれぞれ打球が１個通過できる程度の間隔を離して突設されたガイド枠３，３により球通路を形成する技術が開示されている。
　
周知例５．特公平３−５９７１８号公報
　「尚、基盤１の表面側の上部には上方鎧部５が、そして両側には側方鎧部６，７がそれぞれ設けられており、これらは上記揺動杆３及び保護壁４を囲んでいる。第１図及び第２図において、上方鎧部５と左右側の側方鎧部６，７とのそれぞれの間には、打球が流下可能な球通路８，９として形成されている。」（第２頁第３欄第３４−４１行）と記載され、また、第２図から、球通路８，９は、打球が１個通過できる程度であることをを把握することができることから、上方鎧部５の左右の側部にそれぞれ打球が１個通過できる程度の間隔を離して突設された側方鎧部６，７により球通路を形成する技術が開示されている。
　
周知例６．特公平３−２５５６号公報
　「変動入賞装置１２０は内部への入賞に対して所定数（例えば15個）の賞品球の払い戻しをする入賞領域を兼ねたものであるが、本実施例では特徴点として変動入賞装置１２０内部の下部中央に特別球入賞領域３００（特別球入賞領域に関しては後に詳述する。）が形成されるとともに、特別球入賞領域３００の両側には通常の入賞孔１０３ｆ，１０３ｇが形成されている。」（第４頁第７欄第７−１４行）と記載され、通常の入賞孔１０３ｆ，１０３ｇと特別球入賞領域３００とを隣接して設ける技術が開示されている。
　
６．むすび
　したがって、本願発明は、引用発明及び周知技術に基づいて当業者が容易に発明をすることができたものであるから、特許法第２９条第２項の規定により特許を受けることができない。
　よって、結論のとおり審決する。